(57)【要約】【課題】輝度の均一性を向上させることができるバックライトユニット及びこれを具備する表示装置を提供する【解決手段】実施例によるバックライトユニットは、ＬＥＤが形成されたＬＥＤモジュールと、前記ＬＥＤモジュールを支持するケースと、前記ＬＥＤモジュールを前記ケースに固定させる固定手段と、前記ＬＥＤモジュールと前記固定手段上に形成されて前記ＬＥＤが露出されるように開口部が形成された反射シートと、前記反射シートを前記ケースに固定させるガイドピンを含む。【選択図】図３
2010515218.tif 000002
【特許請求の範囲】
【請求項１】
ＬＥＤが形成されたＬＥＤモジュールと、前記ＬＥＤモジュールを支持するケースと、前記ＬＥＤモジュールを前記ケースに固定させる固定手段と、前記ＬＥＤモジュールと前記固定手段の上に形成されて前記ＬＥＤが露出されるように開口部が形成された反射シートと、前記反射シートを前記ケースに固定させるガイドピンを含むバックライトユニット。
【請求項２】
前記ＬＥＤモジュールは、印刷回路基板と、前記印刷回路基板に形成された前記ＬＥＤと、前記ＬＥＤ上に形成されたモールド部を具備する請求項１に記載のバックライトユニット。
【請求項３】
前記反射シートは、前記ＬＥＤから発光された光を上部に反射させる請求項１に記載のバックライトユニット。
【請求項４】
前記反射シートの反射率と前記ガイドピンの反射率が同一になるように形成された請求項１に記載のバックライトユニット。
【請求項５】
前記反射シートの形成において、前記固定手段が形成された領域の前記反射シートは、前記固定手段の突出部を挿入できるように段差が形成された請求項１に記載のバックライトユニット。
【請求項６】
前記反射シートの形成において、前記固定手段が形成された領域の前記反射シートは、前記固定手段の突出部を挿入できるように溝が形成された請求項１に記載のバックライトユニット。
【請求項７】
前記ＬＥＤモジュールは、三つ以上が含まれて少なくとも１列と２行以上に配列される請求項１に記載のバックライトユニット。
【請求項８】
ＬＥＤが形成されたＬＥＤモジュールと、前記ＬＥＤモジュールを支持するケースと、前記ＬＥＤモジュールを前記ケースに固定させる固定手段と、前記ＬＥＤモジュールと前記固定手段上に形成されて前記ＬＥＤが露出されるように開口部が形成された反射シートと、前記反射シートを前記ケースに固定させるガイドピンを含むバックライトユニットと、前記バックライトユニットから提供される光を利用して映像を表示する表示部を含む表示装置。
【請求項９】
前記表示部は液晶パネルである請求項８に記載の表示装置。
【請求項１０】
前記反射シートの形成において、前記固定手段が形成された領域の前記反射シートは、前記固定手段の突出部を挿入できるように段差が形成された請求項８に記載の表示装置。
【請求項１１】
前記反射シートの形成において、前記固定手段が形成された領域の前記反射シートは、前記固定手段の突出部を挿入できるように溝が形成された請求項８に記載の表示装置。
【請求項１２】
ＬＥＤが形成されたＬＥＤモジュールと、前記ＬＥＤモジュールを支持するケースと、前記ＬＥＤモジュール上に形成されて前記ＬＥＤが露出されるように開口部が形成された第１反射シートと、前記ＬＥＤモジュールと前記第１反射シートを前記ケースに固定させる固定手段と、前記固定手段上に形成された第２反射シートと、前記第２反射シートを前記ケースに固定させるガイドピンを含むバックライトユニット。
【請求項１３】
前記ＬＥＤモジュールは、印刷回路基板と、前記印刷回路基板に形成されたＬＥＤと、前記ＬＥＤ上に形成されたモールド部を具備する請求項１２に記載のバックライトユニット。
【請求項１４】
前記第１反射シートと第２反射シートは、前記ＬＥＤから発光された光を上部に反射させる請求項１２に記載のバックライトユニット。
【請求項１５】
前記第２反射シートの形成において、前記固定手段の突出部を挿入できるように段差が形成された請求項１２に記載のバックライトユニット。
【請求項１６】
前記第２反射シートの形成において、前記固定手段の突出部を挿入できるように溝が形成された請求項１２に記載のバックライトユニット。
【請求項１７】
前記第１反射シート及び第２反射シートの反射率と前記ガイドピンの反射率が同一になるように形成された請求項１２に記載のバックライトユニット。
【請求項１８】
前記第２反射シートの厚さが前記第１反射シートの厚さより薄く形成された請求項１２に記載のバックライトユニット。
【請求項１９】
前記ＬＥＤモジュールは、少なくとも３つのＬＥＤを含み、少なくとも１列×２行に配列される請求項１２に記載のバックライトユニット。
【請求項２０】
前記第２反射シートは、前記固定手段が配列される行または列の数と同一に形成される請求項１２に記載のバックライトユニット。
【発明の詳細な説明】
【技術分野】
【０００１】
本発明は、バックライトユニット及びこれを具備する表示装置に関するものである。
【背景技術】
【０００２】
図１は、従来のバックライトユニットを概略的に示した図面である。従来のバックライトユニットは、図１に示しているように、ＬＥＤモジュール１０、ケース２０、固定手段３０、反射シート４０を含む。
【０００３】
前記ＬＥＤモジュール１０は、印刷回路基板１１と、前記印刷回路基板１１上に形成されたＬＥＤ１３と、前記ＬＥＤ１３上に形成されたモールド部１５を含む。
【０００４】
前記反射シート４０は、前記ＬＥＤ１３から発光された光を上部に反射させる機能をする。前記反射シート４０は、前記ＬＥＤ１３が露出されるように開口部が形成されている。前記反射シート４０は９８％以上の反射率を示す。
【０００５】
前記固定手段３０は、前記反射シート４０と前記ＬＥＤモジュール１０を前記ケース２０に固定させる。前記ケース２０はカバーボトムであることがある。前記固定手段３０の上部は前記反射シート４０の上に露出される。前記固定手段３０は、一例として、ネジからなることができるが、普通６０〜７０％の反射率を示す。
【０００６】
このように、前記反射シート４０の反射率と前記固定手段３０の反射率に差が生じることによって、従来のバックライトユニットでは、図２に示しているように、輝度のバラ付きが発生する。図２は、従来のバックライトユニットの問題点を示した図面である。
【０００７】
バックライトユニットの上部には、拡散シートのような光学シート７０が配置されることができる。前記固定手段３０においての反射率が低いことによって、前記固定手段３０が位置された領域上の輝度がその周りに比べて低いという短所がある。よって、前記固定手段３０が配列された領域には暗線８０が生じ、輝度のバラ付きが発生する問題点がある。
【発明の概要】
【発明が解決しようとする課題】
【０００８】
実施例は、輝度の均一性を向上させることができるバックライトユニット及びこれを具備する表示装置を提供する。
【課題を解決するための手段】
【０００９】
実施例によるバックライトユニットは、ＬＥＤが形成されたＬＥＤモジュールと、前記ＬＥＤモジュールを支持するケースと、前記ＬＥＤモジュールを前記ケースに固定させる固定手段と、前記ＬＥＤモジュールと前記固定手段上に形成されて、前記ＬＥＤが露出されるように開口部が形成された反射シートと、前記反射シートを前記ケースに固定させるガイドピンを含む。
【００１０】
実施例による表示装置は、ＬＥＤが形成されたＬＥＤモジュールと、前記ＬＥＤモジュールを支持するケースと、前記ＬＥＤモジュールを前記ケースに固定させる固定手段と、前記ＬＥＤモジュールと前記固定手段上に形成されて前記ＬＥＤが露出されるように開口部が形成された反射シートと、前記反射シートを前記ケースに固定させるガイドピンを含むバックライトユニットと、前記バックライトユニットから提供される光を利用して映像を表示する表示部を含む。
【００１１】
実施例によるバックライトユニットは、ＬＥＤが形成されたＬＥＤモジュールと、前記ＬＥＤモジュールを支持するケースと、前記ＬＥＤモジュール上に形成されて、前記ＬＥＤが露出されるように開口部が形成された第１反射シートと、前記ＬＥＤモジュールと前記第１反射シートを前記ケースに固定させる固定手段と、前記固定手段上に形成された第２反射シートと、前記第２反射シートを前記ケースに固定させるガイドピンを含む。
【発明の効果】
【００１２】
本発明によるバックライトユニット及びこれを具備する表示装置は、輝度の均一性を向上させることができる長所がある。
【図面の簡単な説明】
【００１３】
【図１】従来のバックライトユニットを概略的に示した図面である。
【図２】従来のバックライトユニットの問題点を示した図面である。
【図３】実施例によるバックライトユニットを概略的に示した図面である。
【図４】実施例によるバックライトユニットの他の例を概略的に示した図面である。
【図５】図４において、第１反射シートと第２反射シートの積層構造を説明するための図面である。
【発明を実施するための形態】
【００１４】
実施例の説明において、各層(膜)、領域、パターンまたは構造物が基板、各層(膜)、領域、パッドまたは各パターンの"上/上方(on)"に、または"下/下方(under)"に形成されることと記載される場合において、"上/上方"と"下/下方"は"直接(directly)"と"間接(indirectly)"の意味を皆含む。
【００１５】
以下、実施例について添付された図面を参照しながら説明する。
【００１６】
図３は、実施例によるバックライトユニットを概略的に示した図面である。実施例によるバックライトユニットは、図３に示しているように、ＬＥＤモジュール１１０、ケース１２０、固定手段１３０、反射シート１４０、ガイドピン１５０を含む。
【００１７】
前記ＬＥＤモジュール１１０は、印刷回路基板１１１と、前記印刷回路基板１１１上に形成されたＬＥＤ１１３と、前記ＬＥＤ１１３上に形成されたモールド部１１５を含む。前記ＬＥＤ１１３は、前記印刷回路基板１１１に実装されて形成されることができる。前記ＬＥＤモジュール１１０は、少なくとも三つ以上形成されることができ、少なくとも１列と２行に配列されることができる。
【００１８】
前記ケース１２０は、前記ＬＥＤモジュール１１０を支持するように形成され、前記反射シート１４０は、前記ＬＥＤモジュール１１０と前記固定手段１３０の上に形成される。前記ケース１２０はカバーボトムであることがある。
【００１９】
前記ガイドピン１５０は、前記反射シート１４０を前記ケース１２０に固定させる機能をする。前記ガイドピン１５０は、上部に位置することになる拡散シートのような光学シートを支持することができ、前記反射シート１４０と反射率が同一または類似するように形成されることができる。前記ガイドピン１５０は、前記ケース１２０内に結合されることもでき、前記ケース１２０を貫通して結合されることもできる。
【００２０】
前記反射シート１４０は、前記ＬＥＤ１１３から発光された光を上部に反射させる機能をする。前記反射シート１４０は、前記ＬＥＤ１１３が露出されるように開口部が形成されている。前記反射シート１４０は、９８％以上の反射率を示す。
【００２１】
前記固定手段１３０は、前記ＬＥＤモジュール１１０を前記ケース１２０に固定させる。前記固定手段１３０は、一例として、ネジからなることができるが、普通６０〜７０％の反射率を示す。前記固定手段１３０は、前記ケース１２０内部に結合されることもでき、前記ケース１２０を貫通して結合されることもできる。
【００２２】
前記固定手段１３０は、前記反射シート１４０の下部に位置することになる。これによって、前記反射シート１４０より上部に反射する光は、均一な輝度を有することができるようになる。
【００２３】
前記反射シート１４０の形成において、前記固定手段１３０が形成された領域の前記反射シート１４０は、前記固定手段１３０の突出部を挿入できるように段差が形成されることができる。これによって、前記固定手段１３０が形成された領域においても前記反射シート１４０が平坦な上部面を維持することができるようになる。
【００２４】
また、前記反射シート１４０の形成において、前記固定手段１３０が形成された領域の反射シート１４０は、前記固定手段１３０の突出部を挿入できるように溝が形成されることができる。これによって前記固定手段１３０が形成された領域においても前記反射シート１４０が平坦な上部面を維持することができるようになる。
【００２５】
このような構造を持つバックライトユニットは、光源を必要とする様々な表示装置に適用されることができる。例えば、前記バックライトユニットは、液晶パネルを具備する液晶表示装置に適用されることができる。液晶表示装置では、前記バックライトユニットから提供される光を利用して、前記液晶パネルから構成される表示部に映像を表示することができるようになる。このような液晶表示装置は、均一な輝度を提供するバックライトユニットを具備することで、良質の映像を表示することができるようになる。
【００２６】
一方、図４は実施例によるバックライトユニットの他の例を概略的に示した図面であり、図５は図４において第１反射シートと第２反射シートの積層構造を説明するための図面である。
【００２７】
実施例によるバックライトユニットは、図４及び図５に示しているように、ＬＥＤモジュール２１０、ケース２２０、固定手段２３０、第１反射シート２４０、ガイドピン２５０、第２反射シート２６０を含む。
【００２８】
前記ＬＥＤモジュール２１０は、印刷回路基板２１１と、前記印刷回路基板２１１上に形成されたＬＥＤ２１３と、前記ＬＥＤ２１３上に形成されたモールド部２１５を含む。前記ＬＥＤ２１３は、前記印刷回路基板２１１に実装されて形成されることができる。前記ＬＥＤモジュール２１０は、少なくとも三つ以上形成されることができ、少なくとも１列と２行に配列されることができる。
【００２９】
前記ケース２２０は、前記ＬＥＤモジュール２１０を支持するように形成される。前記ケース２２０はカバーボトムであることがある。前記第１反射シート２４０は、前記ＬＥＤモジュール２１０上に形成されて前記ＬＥＤ２１３が露出されるように開口部が形成されている。
【００３０】
前記固定手段２３０は、前記第１反射シート２４０と前記ＬＥＤモジュール２１０を前記ケース２２０に固定させる。前記固定手段２３０の上部は前記第１反射シート２４０の上に露出される。前記固定手段２３０は、一例として、ネジからなることができるが、普通６０〜７０％の反射率を示す。また、前記固定手段２３０がネジからなる場合には、結合（締める）強度を高めて、前記固定手段２３０の上部が前記第１反射シート２４０の上に露出されないように具現することもできる。前記固定手段２３０は、前記ケース２２０内部に結合されることもでき、前記ケース２２０を貫通して結合されることもできる。
【００３１】
このように、露出された前記固定手段２３０によって輝度のバラ付きが発生することを防止するために、前記固定手段２３０上に第２反射シート２６０が形成される。前記第２反射シート２６０は、前記固定手段２３０が配列される行または列の数と同一に形成されることができる。
【００３２】
前記ガイドピン２５０は、前記第２反射シート２６０を前記ケース２２０に固定させる機能をする。前記ガイドピン２５０は、上部に位置することになる拡散シートのような光学シートを支持することができ、前記第１反射シート２４０及び第２反射シート２６０と反射率が同一または類似するように形成されることができる。
【００３３】
前記第１反射シート２４０及び第２反射シート２６０は、前記ＬＥＤ２１３から発光された光を上部に反射させる機能をする。前記第１反射シート２４０は、前記ＬＥＤ２１３が露出されるように開口部が形成されている。前記第１反射シート２４０及び第２反射シート２６０は、９８％以上の反射率を示す。
【００３４】
前記第２反射シート２６０の形成において、前記固定手段２３０が形成された領域の前記第２反射シート２６０は、前記固定手段２３０の突出部を挿入できるように段差が形成されることができる。これによって、前記固定手段２３０が形成された領域においても前記第２反射シート２６０が平坦な上部面を維持することができるようになる。
【００３５】
また、前記第２反射シート２６０の形成において、前記固定手段２３０が形成された領域の第２反射シート２６０は、前記固定手段２３０の突出部を挿入できるように溝が形成されることができる。これによって、前記固定手段２３０が形成された領域においても前記第２反射シート２６０が平坦な上部面を維持することができるようになる。
【００３６】
前記第２反射シート２６０の厚さが前記第１反射シート２４０の厚さよりもっと薄く形成されるようにすることができる。これによって、前記第２反射シート２６０が形成されない場合に比べて、輝度分布の均一性を向上させることができる。
【００３７】
このような構造を持つバックライトユニットは、光源を必要とする様々な表示装置に適用されることができる。例えば、前記バックライトユニットは、液晶パネルを具備する液晶表示装置に適用されることができる。液晶表示装置では、前記バックライトユニットから提供される光を利用して前記液晶パネルの表示部に映像を表示することができるようになる。このような液晶表示装置は、均一な輝度を提供するバックライトユニットを具備することで、良質の映像を表示することができるようになる。
【００３８】
本明細書において、「実施例」等を参照する場合には、当該実施例に関連して記述された特定の特徴、構造または特色が、少なくとも、本発明のある態様に含まれることを意味する。本明細書の様々な箇所における当該用語の使用は、必ずしも同じ実施例を参照していることを意味しない。さらに、特定の特徴、構造または特色がいずれのかの実施例に関連して記述される場合には、他の実施例に関連する特徴、構造または特色に影響することが当業者に理解されるものとする。
【００３９】
実施例は多くの具体例を参照して説明されているが、本発明の属する分野の通常の知識を有する者であれば、本発明の本質的な特性から離脱しない範囲内で、様々な変形及び応用が可能であることが理解できるはずである。特に、本明細書の開示、図面および係属中の請求項の範囲内において、様々な変形および変更が構成要素および／または主題の組み合わせの配列において可能である。構成要素および／または配列の変形および変更に加え、代替手段も当業者にとって明らかである。
【産業上の利用可能性】
【００４０】
実施例によるバックライトユニット及びこれを具備する表示装置は、輝度の均一性を向上させることができる長所がある。
【符号の説明】
【００４１】
１１０、２１０  ＬＥＤモジュール、１１１、２１１  印刷回路基板、１１３、２１３  ＬＥＤ、１１５、２１５  モールド部、１２０、２２０  ケース、１３０、２３０  固定手段、１４０  反射シート、１５０、２５０  ガイドピン、２４０  第１反射シート、２６０  第２反射シート
【図１】
2010515218.tif 000003
【図２】
2010515218.tif 000004
【図３】
2010515218.tif 000005
【図４】
2010515218.tif 000006
【図５】
2010515218.tif 000007
【国際調査報告】
2010515218.tif 000008
2010515218.tif 000009